(57)【要約】  【課題】  ストレス解消効果に優れる猫用爪研ぎ器を提供しようとする。  【解決手段】  爪研ぎ面を備える本体に青葉アルデヒド、青葉アルコールから選択される少なくとも１種の香り剤が添加されてなる猫用爪研ぎ器であり、さらに、前記本体にマタタビ成分剤が添加されてなる猫用爪研ぎ器であり、前記香り剤がマイクロカプセルに内包されて前記本体に添加されてなる猫用爪研ぎ器である。  【選択図】  図１
0003112780.tif 000002
【実用新案登録請求の範囲】
【請求項１】
爪研ぎ面を備える本体に青葉アルデヒド、青葉アルコールから選択される少なくとも１種の香り剤が添加されてなる猫用爪研ぎ器。
【請求項２】
さらに、前記本体にマタタビ成分剤が添加されてなる請求項１に記載の猫用爪研ぎ器。
【請求項３】
前記香り剤がマイクロカプセルに内包されて前記本体に添加された請求項１又は２に記載の猫用爪研ぎ器。
【請求項４】
前記マイクロカプセルがバインダを介して前記本体に接着された請求項３に記載の猫用爪研ぎ器。
【請求項５】
前記香り剤は、青葉アルデヒドと青葉アルコールとが重量比６：４〜４：６で混合されてなる請求項１ないし４のいずれかに記載の猫用爪研ぎ器。
【請求項６】
前記本体が平板と波板との積層構造を構成要素として含む段ボール構造体を備え、前記爪研ぎ面が該段ボール構造体の積層断面である請求項１ないし５のいずれかに記載の猫用爪研ぎ器。
【請求項７】
前記本体が繊維集合体の面からなる爪研ぎ面を備える請求項１ないし５のいずれかに記載の猫用爪研ぎ器。
【請求項８】
前記香り剤が少なくとも前記爪研ぎ面に添加された請求項１ないし７のいずれかに記載の猫用爪研ぎ器。
【考案の詳細な説明】
【技術分野】
【０００１】
本考案は、猫用爪研ぎ器に関する。
【背景技術】
【０００２】
近年、ペットを飼育する人が増えてその関連製品が大きな市場を形成している。ペットの種類は多岐にわたるが、主流は犬と猫である。ペットブームの背景には家族観や結婚観の時代変化など複雑な要因があるとされているが、現代人の孤独感が根底にあるともいわれる。即ち、こうした人々にとってペットは家族の一員同様であって、ペットが人の癒しに役立っているという側面がある。
【０００３】
ところで、このような人の癒しに役立っているペットにおいて、ストレスに起因する症状、例えば円形脱毛症等、人と同様な症状が増えているという動物病院もある。ペットといえども動物である限りは野生の部分を残していることは当然であり、この野生を抑圧するようなストレスはペットにとっても有害である。我が子に対する如き思いでペットに接する人にとっては、ペットのストレスは看過できない問題となっている。
【０００４】
特に最近、独身女性のあいだでペットとして猫を飼う人が増えている。自己主張の強い猫では、犬と違って躾が難しい。これはやってはいけないということを子猫のときから根気よく躾ていく以外に方法がないといわれ、なかでも、トイレの習慣と爪研ぎの躾が大切といわれている。猫は柱や襖で爪を研ぐのが好きであり、猫にとってストレス発散の行動でもあるが、これを柱や襖でやらせてしまうと、このお気に入りの爪研ぎ場所を後で変更させることは並大抵でない。
【０００５】
そこで、猫用の爪研ぎ器が商品化され、多くの愛猫家がこれを使用している。愛猫家が猫用の爪研ぎ器を購入する目的は猫を躾るためであり、これにより家具や室内を傷つけられるのを防ぐためであるが、最近では愛猫のストレス発散のために購入する愛猫家が増えている。
【０００６】
猫用の爪研ぎ器は段ボール紙を積層して形成された構造のものが一般的であり（例えば、特許文献１、３、４参照）、最も多く使用されているが、不織布を蛇腹状に折り曲げた形状のものも考案されている（例えば、特許文献２参照）。
【０００７】
さらに、猫の躾を効果的ならしめるため猫が好むとされるマタタビ（果実）抽出液を爪研ぎ器本体に塗布する（例えば、特許文献１、４参照）ことが開示されている。
【０００８】
しかし、従来の爪研ぎ器は最近の住宅事情などから室内に閉じ込められがちな猫にとっては特に、ストレス解消効果が充分とはいえず、さらにストレス解消効果にすぐれる爪研ぎ器が望まれている。
【特許文献１】登録実用新案第３０３８１５５号公報
【特許文献２】特開平８−１９６１５９号公報
【特許文献３】特開平１１−１８６０９号公報
【特許文献４】特開平９−３０８４０４号公報
【考案の開示】
【考案が解決しようとする課題】
【０００９】
本考案はストレス解消効果に優れる猫用爪研ぎ器を提供しようとするものである。
【課題を解決するための手段】
【００１０】
本考案の要旨とするところは、爪研ぎ面を備える本体に青葉アルデヒド、青葉アルコールから選択される少なくとも１種の香り剤が添加されてなる猫用爪研ぎ器であることにある。
【００１１】
また、本考案の要旨とするところは、さらに、前記本体にマタタビ成分剤が添加されてなる猫用爪研ぎ器であることにある。
【００１２】
前記香り剤はマイクロカプセルに内包されて前記本体に添加され得る。
【００１３】
前記マイクロカプセルはバインダを介して前記本体に接着され得る。
【００１４】
前記香り剤は、青葉アルデヒドと青葉アルコールとが重量比６：４〜４：６で混合されてなり得る。
【００１５】
前記本体は、平板と波板との積層構造を構成要素として含む段ボール構造体を備え得、前記爪研ぎ面が該段ボール構造体の積層断面であり得る。
【００１６】
前記本体は繊維集合体の面からなる爪研ぎ面を備え得る。
【００１７】
前記猫用爪研ぎ器においては、前記香り剤が少なくとも前記爪研ぎ面に添加され得る。
【考案の効果】
【００１８】
本考案によるとストレス解消効果に優れる猫用爪研ぎ器が提供される。
【考案を実施するための最良の形態】
【００１９】
本考案の猫用爪研ぎ器の実施形態について、図面を使用して説明する。なお、本明細書においては、各図にわたって記される同じ符号は同一又は同様の部材やものを示す。図１に示すように、本考案の猫用爪研ぎ器２は、爪研ぎ面４を備える本体６に青葉アルデヒド（ｔｒａｎｓ−２−ｈｅｘｅｎａｌ）、青葉アルコール（ｃｉｓ−３−ｈｅｘｅｎｏｌ）から選択される少なくとも１種の香り剤が添加されてなる猫用爪研ぎ器である。
【００２０】
本体６は、平板８と波板１０が交互に積層されてなり平板と波板との積層構造を構成要素とする段ボール構造体１２を素材として厚板状に形成されている。この厚板状の本体６の上面が爪研ぎ面４として設定され、本体６における波板の段目に沿った方向が本体６の厚さ方向と平行であり、爪研ぎ面４には、波板１０の段目に沿った方向と直交する段ボール構造体の積層断面が露出して粗面が形成されている。これにより、爪研ぎ面４には、平板８の端縁と波板１０の端縁とでなる開口１１が縦横に格子上にひろがって多数形成される。平板８と波板１０の素材は従来の段ボールに用いられる平板や波板と同様の素材である。波板１０の段目に沿った方向が段ボール構造体の積層断面と斜向する構成であってもよい。
【００２１】
波板１０の波形は、小さすぎると猫の爪で引っ掻きにくくなるきらいがあり、紙の使用量も多くなり当然コストも高くつく。一方、大きすぎると引っ掻きやすくコストで有利といえども、早く損耗することになる。そうしたことから、段の高さが２．５〜２．８ｍｍ、３０ｃｍ当りの段山数が５０±２くらいの段ボール（例えばＪＩＳ  Ｚ１５１６に示されるＢ段）もしくはこれに近い形状が猫の爪研ぎ器には好適である。
【００２２】
平板８や波板１０を構成する紙の種類や厚みには特に限定はないが、爪研ぎ器としての表面の硬さやコスト面からは、外装用又は内装用段ボール用として使用される１００〜２００ｇ／ｍ２のものを使用することが好ましい。
【００２３】
また、段ボール構造体１２の構成要素は片面段ボール、両面段ボール、複両面段ボールであってもよい。構成要素が片面段ボールであることが本体４の軽量化のうえで好ましい。
【００２４】
本体４としては、段ボール紙を積層して形成された構造以外の構造をもつ構造体も使用できる。例えば、セル（開口部）の形状が六角形のハニカム構造物やセル（開口部）の形状が円形のものなども使用できる。あるいは、波形に成形した紙をジグザグ状に折り畳んでハニカムにした構造体も本考案の猫の爪研ぎ器に使用することができる。
【００２５】
段ボール構造体１２は短冊状の段ボールが重畳されて結束されたものであってもよい。あるいは帯状の長尺の段ボールが段目の方向を巻き取り軸として巻き取られた巻き取り体であってもよい。
【００２６】
香り剤は例えば溶媒で希釈されて本体６の上面にスプレイされることにより、本体６に添加される。
【００２７】
香り剤は上述のように青葉アルデヒド、青葉アルコールから選択されるものであるが、青葉アルデヒドと青葉アルコールは、いわゆる緑の香りの主な有効成分である。近年、ストレスによる神経・免疫・内分泌系における研究が進み、緑の香り（緑葉の成分）がストレス応答に対し軽減効果があることが見出されている。青葉アルデヒドと青葉アルコールとはほぼ同じ濃度で等量混合して用いると効果が大幅に増加することが見出されている（Ｐｈｙｓｉｏｌｏｇｙ＆Ｂｅｈａｖｉｏｒ８０（２００４）４８１−４８８）。
【００２８】
従って、青葉アルデヒドと青葉アルコールとは混合して溶媒で希釈して本体６の上面にスプレイして本体６に添加することが好ましく、特に、青葉アルデヒドと青葉アルコールとの混合重量比が６：４〜４：６であるとストレの軽減効果が著しいが、いずれかが単独で香り剤として用いられても有効である。また、香り剤は爪研ぎ面４に０．１〜４０ｇｒ／ｍ２添加されることが好ましい。添加量が０．１ｇｒ／ｍ２を下回るとストレの軽減効果がやや弱くなる。添加量が４０ｇｒ／ｍ２を下回るとストレの軽減効果はあるものの猫か好んで爪研ぎをする回数が少なくなる。
【００２９】
青葉アルデヒド、青葉アルコールは植物から抽出して得ることができる。また、ｔｒａｎｓ−２−ｈｅｘｅｎａｌやｃｉｓ−３−ｈｅｘｅｎｏｌとして合成して得ることもできる。
【００３０】
このようにして得られた本考案の猫用爪研ぎ器２は、爪研ぎ面４を猫が掻くことにより猫のストレスが緩和されるとともに、本体６に添加された香り剤を猫が嗅ぐことによりストレスの緩和と軽減の効果がさらに促進されて猫に充分な精神的な落ち着きが得られる。
【００３１】
なお、青葉アルデヒドや青葉アルコールは、犬や猫の忌避成分としても知られている（例えば、特開平７−３２７５７５号公報）ので、これらの香り剤が爪研ぎ器に添加されていると、爪研ぎ器を与えた当初は猫が好んでは寄り付きにくい場合がある。従って、本考案においては、本体６にさらに猫が好むマタタビの成分剤を添加することが好ましい。これにより、猫が抵抗なく猫用爪研ぎ器２を受けいれて好んで使用するようになる。マタタビの成分剤は単独で希釈して本体６にスプレイして添加してもよいが、香り剤と混合して希釈して本体６にスプレイしてもよい。マタタビの成分剤としては例えばマタタビからの抽出物やマタタビの微粉末が挙げられる。
【００３２】
さらに、本体６には香水や防腐剤、防かび剤、殺菌剤、抗菌剤等が添加されてもよい。
【００３３】
本考案の猫用爪研ぎ器の本体の構成や形状は爪研ぎ面を備えるものであれば図１に示すものに限定されないが、製造や収納の容易さのうえでは直方体状や板状であることが好ましい。あるいは、１方向又は２方向からの断面が平行四辺形となる、例えば特開２０００−１３５４１８号公報に記載されているような、紙の特殊な折り畳み構造の立体の、形状であってもよい。球状あるいは柱状もしくは錐状であってもよい。爪研ぎ面は粗面であることが好ましい。
【００３４】
図２に本考案の猫用爪研ぎ器の本体の他の態様を示す。図２において、本体６ａはベース板２０と、ベース板２０の片面に貼着されたパイル布２２とから構成される。パイル布２２はベース板２０の両の面それぞれに配されてもよい。パイル布２２のパイル面２４が爪研ぎ面４ａとなる。香り剤はパイル布２２のパイル２６にスプレイ等により添加される。パイル布２２のかわりに不織布や織布や発泡樹脂シートが用いられ、ベース板２０に貼着された構成であってもよい。爪研ぎ面がパイル２６や不織布のような繊維集合体で構成されると、香り剤が繊維に付着して繊維間の間隙に保持されるので、本体に香り剤が確実に保持されて効果が長持ちし好ましい。
【００３５】
猫用爪研ぎ器の本体のサイズは特に限定されないが、猫が本体の上に乗ることのできる必要十分な面積の上面を備えることが好ましい。あるいは、壁面や家具の側面や脚部にそわせて、猫が立ち上がって爪を研ぐ位置に爪研ぎ面が設定できるのに必要十分な面積の爪研ぎ面を備えることが好ましい。
【００３６】
さらに、本考案の猫用爪研ぎ器は本体が発泡樹脂からなるものであってもよい。あるいは、本体が木材あるいは樹脂からなるものであってもよい。さらには、本体がブロック状や板状の繊維集合体であってもよい
【００３７】
本考案においては、香り剤や香り剤とマタタビ成分の混合物は爪研ぎ面に付着されていることが好ましいが、本体の側面や裏面、あるいは内部に付加されていてもよい。
【００３８】
本考案において、香り剤や香り剤とマタタビ成分の混合物を本体に添加する方法は特に限定されないが、例えば、香り剤や香り剤とマタタビ成分の混合物が、塗料、あるいは溶媒で希釈されたバインダ、と混合されて本体６の上面にローラや刷毛により塗布されることにより、本体６に添加されてもよい。香り剤や香り剤とマタタビ成分の混合物を、塗料、あるいは溶媒で希釈されたバインダ、と混合し、本体表面にスプレイしてもよい。
【００３９】
さらには、香り剤や香り剤とマタタビ成分の混合物を溶媒や混合用液で希釈した処理液に本体あるいは爪研ぎ面を浸漬したのち引き揚げて乾燥してもよい。
【００４０】
本体が樹脂からなるものである場合は、原料樹脂に香り剤が練り込まれて成形されてもよい。
【００４１】
香り剤や香り剤とマタタビ成分の混合物が添加された布や徐放的に封入された袋を本体の側面や裏面に貼り付けておく態様であってもよい。あるいはこのような布や袋が本体の内部に設置されてもよい。
【００４２】
香り剤はそのまま本体に添加されてもよいが、マイクロカプセルに内包させて本体に添加されていることが好ましい。これにより、香り剤に徐放性が得られ好ましい。とくに、猫の爪研ぎ行為によりマイクロカプセルが破れて香り剤がタイミングよく放出されるので沈静効果のうえで好ましい。また、爪研ぎ行為時のみ香り剤が放出されるので効果が長持ちする。
【００４３】
マイクロカプセルの壁材としては、ポリウレタン、ポリウレア、ポリエステル、ポリカーボネート、尿素−ホルムアルデヒド樹脂、メラミン樹脂、ポリスチレン、スチレン−メタクリレート共重合体、ゼラチン、ポリビニルピロリドン、ポリビニルアルコールなど従来より公知のマイクロカプセル壁材を用いることができる。また、これらの高分子は単一種で用いられてもよく、或は、２種類以上を併用してもよい。香り剤は公知の方法でこれらを壁材とするカプセルに内包させることができる。
【００４４】
香り剤を内包したマイクロカプセルは液体と混合して、香り剤をそのまま用いる場合と同様に、スプレイや塗布等により本体に添加する。マイクロカプセルと混合したこの液体にはさらにマタタビ成分が混合されてもよい。
【００４５】
香り剤を内包したマイクロカプセルは、塗料、あるいは溶媒で希釈されたバインダ、と混合されて本体６の上面にローラや刷毛により塗布されることにより、本体６に添加されてもよい。マイクロカプセルを、塗料、あるいは溶媒で希釈されたバインダ、と混合し、本体表面にスプレイしてもよい。
【００４６】
バインダを介してマイクロカプセルが本体に接着されると、マイクロカプセルが確実に本体に保持されて効果が長持ちし好ましい。さらに、繊維集合体からなる本体にバインダを介してマイクロカプセルが接着される場合は、繊維表面にマイクロカプセルが接着されて繊維間の間隙に位置して確実に本体に保持されるのでさらに好ましい。
【実施例１】
【００４７】
Ｂ段片面段ボールが積層された構造の段ボール構造体を縦４６ｃｍ×横１１ｃｍ×厚み４ｃｍに波板の段目の方向が厚み方向となるように厚板状に切り出して本体とした。この本体の上面及び下面を爪研ぎ面として設定した。
【００４８】
青葉アルデヒド（ｔｒａｎｓ−２−ｈｅｘｅｎａｌ）、青葉アルコール（ｃｉｓ−３−ｈｅｘｅｎｏｌ）をそれぞれ１重量部、水９８重量部からなる水溶液を準備し、この水溶液を塗布ロールにより本体の上下両面にそれぞれ塗布した。水溶液の塗布量は片面当り１２ｇｒであった。目視によれば水溶液が本体の表面から深さ約３〜５ｍｍ程度浸透していた。塗布後乾燥して猫用爪研ぎ器を得た。青葉アルデヒドと青葉アルコールとからなる香り剤の爪研ぎ面への面積当りの添加量は４．７ｇｒ／ｍ２であった。
【００４９】
この猫用爪研ぎ器で猫に爪を研がせたら、爪研ぎのあと猫が落ち着いたように感じられた。
【実施例２】
【００５０】
青葉アルデヒドのマイクロカプセル、青葉アルコールのマイクロカプセルをそれぞれ４０重量部を、水３１８０重量部に分散させた分散液を準備し、この分散液を実施例１と同様の本体に実施例１と同様にして塗布し乾燥して猫用爪研ぎ器を得た。青葉アルデヒドと青葉アルコールと合計の爪研ぎ面への面積当りの添加量は４．７ｇｒ／ｍ２であった。
【００５１】
この猫用爪研ぎ器で猫に爪を研がせたら、爪研ぎのあと猫が落ち着いたように感じられた。
【実施例３】
【００５２】
青葉アルコールのマイクロカプセル８０重量部を水３１８０重量部に分散させた分散液を準備し、この分散液を実施例１と同様の本体に実施例１と同様にして塗布し乾燥して猫用爪研ぎ器を得た。青葉アルコールの爪研ぎ面への面積当りの添加量は４．７ｇｒ／ｍ２であった。
【００５３】
この猫用爪研ぎ器で猫に爪を研がせたら、爪研ぎのあと猫が落ち着いたように感じられた。
【実施例４】
【００５４】
実施例３で得られた分散液にマタタビ抽出エキスを５重量部加えて攪拌した以外は実施例３と同様にして猫用爪研ぎ器を得た。
【実施例５】
【００５５】
青葉アルコールのマイクロカプセル８０重量部を水２４０重量部に分散させたスラリーを準備し、このスラリーにマタタビの微粉末を１重量部加えて攪拌し塗布ロールにより実施例１と同様の本体の上下両面にそれぞれ塗布した。スラリーの塗布量は片面当り１２ｇｒであった。乾燥して猫用爪研ぎ器を得た。得られた猫用爪研ぎ器は外観は実施例１で得られたものと区別がつかなかったが、青葉アルコールの臭気がやや強く感じられた。青葉アルコールの爪研ぎ面への面積当りの添加量は４７ｇｒ／ｍ２であった。
【実施例６】
【００５６】
本体として、図２に示す構成のものを用いた。ベース板２０は実施例１で用いた本体と同じ構造とサイズの段ボール構造体である。パイル布２２はパイル目付け５００ｇｒ／ｍ２のナイロン繊維使いループカーペットで、ベース板２０とは接着剤で接着されている。実施例３で得られた分散液にマタタビの微粉末を１重量部加えて攪拌し、さらにバインダとして水溶性ポリビニルアルコール（日本合成化学社製ゴーセノールＧＭ−１４Ｒ）を１重量部加えて８０℃にて３０分間攪拌した。得られた液を本体の上下両面にそれぞれスプレイした。液の付着量は片面当り１２ｇｒであった。乾燥して猫用爪研ぎ器を得た。青葉アルコールの爪研ぎ面への面積当りの添加量は４．７ｇｒ／ｍ２であった。
【００５７】
［比較例１］
実施例１と同様の本体を猫用爪研ぎ器とした。
【００５８】
実施例１〜６及び比較例１の猫用爪研ぎ器をそれぞれ愛猫家５名に６ケ月使用してもらったテストでのアンケート結果と、スコアの平均値を表１に示す。
スコアの定義        ５・・・猫が爪研ぎに夢中になる。また、爪研ぎのあとに猫が落ち
着く感じがする。
４・・・猫がうれしそうに爪研ぎをする。
３・・・通常の爪研ぎの様子である。
２・・・爪研ぎを嫌がる。また、猫が落ち着かない感じがする。
【００５９】
【表１】
0003112780.tif 000003
【００６０】
このテストの結果は次のとうりである。
１．香り剤を添加した本体を備える猫用爪研ぎ器が香り剤を添加しない本体を備える猫用爪研ぎ器よりも好んで猫に使用され、また、爪研ぎのあとに猫が落ち着く感じがする。
２．香り剤とマタタビ成分を添加した本体を備える猫用爪研ぎ器が香り剤のみを添加した本体を備える猫用爪研ぎ器よりも好んで猫に使用される。
３．香り剤をマイクロカプセルに内包させて本体に添加した猫用爪研ぎ器は、香り剤を直接本体に付着させた猫用爪研ぎ器よりも効果が長く持続する。
４．香り剤が多く添加されていると好んで猫に使用される度合いが小さくなる。
【００６１】
６名の愛猫家（ａ〜ｆ）により、実施例３（Ｌ−１）、実施例４（Ｌ−２）及び比較例１（Ｌ−３）の３種類の猫用爪研ぎ器を１組として１あるいは２週間それぞれの飼い猫に対して試用するモニターテストの結果を表２に示す。このモニターのなかの半数は市販の爪研ぎ器を常用していた。
【００６２】
【表２】
0003112780.tif 000004
【００６３】
このモニターテストで、実施例３、実施例４の猫用爪研ぎ器が比較例１の猫用爪研ぎ器よりも猫に好んで使用され、なかでも実施例４の猫用爪研ぎ器が猫に好んで使用されるとの結果を得た。このテストでは、モニター期間が短かかったため、爪研ぎ器を常用していないで使う習慣がなかった猫は反応が悪かった。しかし、ｄのケースのように爪を研ぐ習慣のない猫でも、猫用爪研ぎ器の上で寝たり、ｆのケースのように、猫用爪研ぎ器の表面を舐めるなど、興味深い反応を示した。
【産業上の利用可能性】
【００６４】
本考案の猫用爪研ぎ器が猫のストレス軽減になるというそのこと自体が人の癒しに役立つものであり、本考案の猫用爪研ぎ器は人の癒しに役立つ用具として利用され得る。
【００６５】
その他、本考案は、主旨を逸脱しない範囲で当業者の知識に基づき種々なる改良、修正、変更を加えた態様で実施できるものである。
【図面の簡単な説明】
【００６６】
【図１】本考案の猫用爪研ぎ器の構成を示す斜視模式図である。
【図２】本考案の猫用爪研ぎ器の他の態様の一例の構成を示す断面模式図である。
【符号の説明】
【００６７】
２：猫用爪研ぎ器
４：爪研ぎ面
６：本体
８：平板
１０：波板
１２：段ボール構造体
【図１】
0003112780.tif 000005
【図２】
0003112780.tif 000006